【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
無線電力トランスミッタから無線電力レシーバへ無線電力をリレーするのに適合した共振器回路であって、該共振器回路は、Ｑ値を有する、共振器回路と、
前記共振器回路によってリレーされる電力の量をコントロールするために、前記共振器回路の前記Ｑ値を選択的に調節するように構成されたＱコントロール・サブ回路と、
を備える無線電力伝送コンポーネント。
【請求項２】
前記共振器回路と前記Ｑコントロール・サブ回路とが、無線電力トランスミッタ、無線電力レシーバ、前記無線電力トランスミッタから前記無線電力レシーバへ電力をリレーするように構成された中間電力リレーコンポーネントのうちの少なくとも１つの中に配置される、請求項１に記載の無線電力伝送コンポーネント。
【請求項３】
前記共振器回路は、インダクタンスと静電キャパシタンスを含む、請求項１に記載の無線電力伝送コンポーネント。
【請求項４】
前記共振器回路は、インダクタとキャパシタを有するタンク回路を含む、請求項１に記載の無線電力伝送コンポーネント。
【請求項５】
前記Ｑコントロール・サブ回路は、第１のＱ値と第２のＱ値との間で前記Ｑ値を変化させるように構成され、
前記第２のＱ値が、前記第１のＱ値から異なる、請求項１に記載の無線電力伝送コンポーネント。
【請求項６】
前記Ｑコントロール・サブ回路は、電力供給サイクルの第１の部分に対する第１のＱ値と前記電力供給サイクルの第２の部分に対する第２のＱ値との間で前記Ｑ値を変化させるように構成され、
前記第１のＱ値が、前記第２のＱ値から異なる、請求項１に記載の無線電力伝送コンポーネント。
【請求項７】
前記Ｑコントロール・サブ回路は、第１の複数の電力供給サイクルに対する第１のＱ値と第２の複数の電力供給サイクルに対する第２のＱ値との間で前記Ｑ値を変化させるように構成され、
前記第１のＱ値が、前記第２のＱ値から異なる、請求項１に記載の無線電力伝送コンポーネント。
【請求項８】
前記共振器回路と前記Ｑコントロール・サブ回路とが、無線電力レシーバと中間電力リレーコンポーネントとのうちの少なくとも１つの中に配置され、
前記Ｑ値の通信代表値を無線電力トランスミッタに送信するように構成された通信トランスミッタを更に含み、それにより、前記無線電力トランスミッタは、前記Ｑ値に基づいて、前記無線電力トランスミッタにより伝送される電力の量をコントロールできる、請求項１に記載の無線電力伝送コンポーネント。
【請求項９】
前記Ｑコントロール・サブ回路は、前記共振器回路に結合され、選択的に前記キャパシタをシャントするように構成される、請求項４に記載の無線電力伝送コンポーネント。
【請求項１０】
前記Ｑコントロール・サブ回路は前記共振器回路に結合され、前記キャパシタと並列なレジスタンスを選択的に提供するように構成される、請求項４に記載の無線電力伝送コンポーネント。
【請求項１１】
前記Ｑコントロール・サブ回路は、前記インダクタと前記キャパシタとに直列に結合される、請求項４に記載の無線電力伝送コンポーネント。
【請求項１２】
共振インダクタと、共振キャパシタとを備える共振器回路であって、前記共振インダクタと前記共振キャパシタとは、Ｑ値を有するタンク回路を形成するように構成されており、
前記共振器回路は、コントロール変数に応じて、前記タンク回路の前記Ｑ価値を、アクティブに調節するように構成される、共振器回路。
【請求項１３】
前記コントロール変数は、無線電力レシーバの動作特性の代表値である、請求項１２に記載の共振器回路。
【請求項１４】
前記動作特性は、無線電力レシーバの、温度、電圧、電流、および、電力うちの少なくとも１つである、請求項１３に記載の共振器回路。
【請求項１５】
前記コントロール変数は、無線電力レシーバに外部の動作特性の代表値である、請求項１２に記載の共振器回路。
【請求項１６】
前記動作特性は、バッテリーの温度である、請求項１５に記載の共振器回路。
【請求項１７】
前記共振器回路は、第１のＱ値と、該第１のＱ値とは異なる第２のＱ値との間で前記Ｑ値を変化させるように構成される、請求項１２に記載の共振器回路。
【請求項１８】
前記共振器回路は、電力供給サイクルの第１の部分に対する第１のＱ値と前記電力供給サイクルの第２の部分に対する第２のＱ値との間で前記Ｑ値を変化させるように構成され、
前記第１のＱ値が、前記第２のＱ値から異なる、請求項１２に記載の共振器回路。
【請求項１９】
前記共振器回路は、第１の複数の電力供給サイクルに対する第１のＱ値と第２の複数の電力供給サイクルに対する第２のＱ値との間で前記Ｑ値を変化させるように構成され、
前記第１のＱ値が、前記第２のＱ値から異なる、請求項１２に記載の共振器回路。
【請求項２０】
共振インダクタと、共振キャパシタとを備える共振器回路であって、
前記共振インダクタと前記共振キャパシタとは、Ｑ値を有するタンク回路を形成するように構成されており、Ｑコントロール・サブ回路が前記タンク回路に結合され、前記タンク回路の前記Ｑ値を選択的に変化させるように、選択的に調節可能であり、
前記Ｑコントロール・サブ回路は、コントロール変数に応じて、選択的に、前記Ｑ値を調節するように構成される、共振器回路。
【請求項２１】
前記Ｑコントロール・サブ回路は、前記共振キャパシタと並列に前記共振インダクタに接続される、請求項２０に記載の共振器回路。
【請求項２２】
前記Ｑコントロール・サブ回路は、前記共振キャパシタを選択的にシャントするように構成される、請求項２１に記載の共振器回路。
【請求項２３】
前記Ｑコントロール・サブ回路は、選択的に、前記共振キャパシタと並列にレジスタンスを印加するように構成される、請求項２１に記載の共振器回路。
【請求項２４】
前記Ｑコントロール・サブ回路は、前記共振インダクタと前記共振キャパシタとに直列に接続される、請求項２０に記載の共振器回路。
【請求項２５】
前記Ｑコントロール・サブ回路は、選択的に前記共振キャパシタをシャントするため、または、選択的に、前記共振キャパシタと並列にレジスタンスを提供するために、スイッチを含む、請求項２０に記載の共振器回路。
【請求項２６】
前記スイッチは、１つ以上のトランジスタを含む、請求項２５に記載の共振器回路。
【請求項２７】
前記Ｑコントロール・サブ回路は、整流器を含み、前記スイッチは、調整された側に配置される、請求項２５に記載の共振器回路。
【請求項２８】
前記スイッチは、ＡＣスイッチである、請求項２５に記載の共振器回路。
【請求項２９】
前記コントロール変数は、無線電力レシーバの動作特性の代表値である、請求項２５に記載の共振器回路。
【請求項３０】
前記Ｑコントロール・サブ回路は、第１のＱ値と、該第１のＱ値とは異なる第２のＱ値との間で前記Ｑ値を変化させるように構成される、請求項２５に記載の共振器回路。
【請求項３１】
前記Ｑコントロール・サブ回路は、電力供給サイクルの第１の部分に対する第１のＱ値と前記電力供給サイクルの第２の部分に対する第２のＱ値との間で前記Ｑ値を変化させるように構成され、
前記第１のＱ値が、前記第２のＱ値から異なる、請求項２５に記載の共振器回路。
【請求項３２】
前記Ｑコントロール・サブ回路は、第１の複数の電力供給サイクルに対する第１のＱ値と第２の複数の電力供給サイクルに対する第２のＱ値との間で前記Ｑ値を変化させるように構成され、
前記第１のＱ値が、前記第２のＱ値から異なる、請求項２５に記載の共振器回路。
【請求項３３】
前記Ｑコントロール・サブ回路は、前記共振器回路を通して二次回路にリレーされる電力の量をコントロールするために、アクティブに、前記Ｑ値を調節するように構成される、請求項２０に記載の共振器回路。
【請求項３４】
前記Ｑコントロール・サブ回路は、フィードバックによって、電力の量をコントロールするために、アクティブにコントロールされる、請求項３３に記載の共振器回路。
【請求項３５】
前記Ｑコントロール・サブ回路を作動させるように構成されるフィードバック回路を含む二次回路をさらに含む請求項２０に記載の共振器回路。
【請求項３６】
前記フィードバック回路は、前記二次回路における特性を感知するように構成されたセンサを含み、前記フィードバック回路は、前記感知された特性の関数として、前記Ｑコントロール・サブ回路を作動させるように構成される、請求項３５に記載の共振器回路。
【請求項３７】
前記感知された特性は、温度、電流、電圧または電力のうちの少なくとも１つである、請求項３６に記載の共振器回路。
【請求項３８】
前記フィードバック回路は、閾値を満たすように、前記Ｑコントロール・サブ回路を作動させる、請求項３５に記載の共振器回路。
【請求項３９】
前記フィードバック回路は、前記閾値を渡ったときに、前記Ｑ値を変化させるように、前記Ｑコントロール・サブ回路を作動させる、請求項３８に記載の共振器回路。
【請求項４０】
前記Ｑコントロール・サブ回路は、可変レジスタを含む、請求項２０に記載の共振器回路。
【請求項４１】
前記可変レジスタは、３極モードまたは線形領域で動作するトランジスタである、請求項４０に記載の共振器回路。
【請求項４２】
前記Ｑコントロール・サブ回路は、フィードバック回路によってアクティブにコントロールされ、
該フィードバック回路は、前記Ｑコントロール・サブ回路に、比例フィードバック信号を提供するように構成され、前記可変レジスタの値は、前記比例フィードバック信号に比例して変化される、請求項４０に記載の共振器回路。
【請求項４３】
前記Ｑコントロール・サブ回路は、フィードバック回路によってアクティブにコントロールされ、該フィードバック回路は、アルゴリズムに基づいてフィードバック信号を調整することができるコントローラを含む、請求項４０に記載の共振器回路。
【請求項４４】
前記アルゴリズムは、感知された値と感知された特性の望ましい値との間の相対的な差異に基づいて、前記フィードバック信号を調節するように構成される、請求項４３に記載の共振器回路。
【請求項４５】
前記アルゴリズムは、比例・積分・微分アルゴリズムである、請求項４４に記載の共振器回路。
【請求項４６】
前記Ｑコントロール・サブ回路は、フィードバック回路によってアクティブにコントロールされ、前記フィードバック回路は、前記Ｑコントロール・サブ回路の直接フィードバックを提供する少なくとも１つのアナログ・コンポーネントを含む、請求項４０に記載の共振器回路。
【請求項４７】
前記少なくとも１つのアナログ・コンポーネントは、閾値が満たされるかどうかに依存して、高信号または低信号を提供するように構成される、請求項４６に記載の共振器回路。
【請求項４８】
前記フィードバック回路は、デジタル・コントローラを含み、該デジタル・コントローラはアナログ入力を受信し、前記Ｑコントロール・サブ回路に対するコントロール信号を生成するように構成される、請求項４６に記載の共振器回路。
【請求項４９】
無線電力供給システムから前記共振器回路を効果的に取り除くために、前記共振器回路をシャットオフすることができるシャットオフ回路をさらに含む請求項２０に記載の共振器回路。
【請求項５０】
前記Ｑコントロール・サブ回路は、前記シャットオフ回路として機能する、請求項４９に記載の共振器回路。
【請求項５１】
前記シャットオフ回路は、前記Ｑコントロール・サブ回路から分離している、請求項４９に記載の共振器回路。
【請求項５２】
前記シャットオフ回路のコントロールに関連する値を感知するためのセンサをさらに含む請求項４９に記載の共振器回路。
【請求項５３】
Ｑ値を有する主共振器回路と、無線電力トランスミッタから放射される電力の量を調整するために、選択的に、前記Ｑ値を調節するように構成されたＱコントロール・サブ回路と、を備える無線電力トランスミッタ。
【請求項５４】
前記Ｑコントロール・サブ回路は、前記Ｑコントロール・サブ回路を、コントロール特性の関数として、コントロールするように構成されたコントローラを含む、請求項５３に記載の無線電力トランスミッタ。
【請求項５５】
前記コントロール特性は、前記Ｑ値は、１つ以上の無線電力レシーバによって要望された電力の量と一致するように送信される電力の量を制限するために調整されるように、選択される、請求項５４に記載の無線電力トランスミッタ。
【請求項５６】
１つ以上の無線電力レシーバであって、各々が、Ｑコントロール状態を有し、前記Ｑ設定コントロール状態を、前記無線電力トランスミッタに、通信するように構成される、１つ以上の無線電力レシーバをさらに含む請求項５３に記載の無線電力トランスミッタ。
【請求項５７】
前記無線電力トランスミッタは、前記Ｑコントロール状態が、前記無線電力レシーバの全てが、受信される電力の量を制限するためにＱコントロールを使用していることを示すとき、前記主共振器回路の前記Ｑ値を減少させるように構成される、請求項５６に記載の無線電力トランスミッタ。
【請求項５８】
前記無線電力トランスミッタは、前記Ｑコントロール状態が、受信される電力の量を制限するためにすべての無線電力レシーバが、Ｑコントロールを使用していることを示すとき、送信される電力の量を減少させるように構成される、請求項５６に記載の無線電力トランスミッタ。